(57)【要約】【課題】ユーザにとって好適な時間に映像の再生を開始させることが可能となる表示装置及び表示方法の提供。【解決手段】本実施形態の表示装置は、制御コマンドと再生した映像データとをネットワークを介して送信する外部機器に対してネットワークを介して接続可能な表示装置であって、検出手段と、受信手段と、第１の送信手段と、第２の送信手段と、表示手段とを備える。検出手段は自機器の周囲のユーザを検出する。受信手段は外部機器から映像データと制御コマンドとを受信する。第１の送信手段は、外部機器から映像データ又は制御コマンドが受信された場合に、検出手段が前記ユーザを検出しないと、外部機器に対して映像データの再生停止を指示する停止コマンドを送信する。第２の送信手段は、検出手段がユーザを検出した場合、外部機器に映像データの再生を指示する再生コマンドを送信する。表示手段は外部機器から受信された映像データの映像を表示する。【選択図】  図２
2012065203.tif 000002
【特許請求の範囲】
【請求項１】
制御コマンドと再生した映像データとをネットワークを介して送信する外部機器に対して前記ネットワークを介して接続可能な表示装置であって、
自機器の周囲のユーザを検出する検出手段と、
前記外部機器が送信する前記映像データと前記制御コマンドとを受信する受信手段と、
前記映像データ又は前記制御コマンドが受信された場合に、前記検出手段が前記ユーザを検出しないと、前記外部機器に対して前記映像データの再生の停止を指示する停止コマンドを送信する第１の送信手段と、
前記検出手段が前記ユーザを検出した場合、前記外部機器に前記映像データの再生を指示する再生コマンドを送信する第２の送信手段と、
受信された前記映像データの映像を表示する表示手段と
を備える表示装置。
【請求項２】
前記受信手段が受信する前記制御コマンドは、前記表示装置に入力切替を指示する入力切替コマンドと、前記表示装置に電源投入を指示する電源投入コマンドとのうち少なくとも一方である、請求項１記載の表示装置。
【請求項３】
ユーザとユーザ識別子とを対応付けて管理する管理手段を更に備え、
前記受信手段は、前記外部機器から前記ユーザ識別子を受信し、
前記検出手段は、受信された前記識別子に対応する前記ユーザを検出する、請求項１記載の表示装置。
【請求項４】
前記表示手段の駆動電力を制御する制御手段を更に備え、
前記制御手段は、前記停止指示を送信した場合に前記表示手段への駆動電力を制限する、請求項１記載の表示装置。
【請求項５】
前記制御手段は、前記停止コマンドが送信された後に前記再生コマンドが送信された場合、前記表示手段に対する駆動電力の制限を解除する、請求項４記載の表示装置。
【請求項６】
前記第１の送信手段は、前記受信手段が前記映像データを受信していない場合に前記制御コマンドを受信すると、前記検出手段がユーザを検出しているか否かにかかわらず前記停止コマンドを送信する、請求項１記載の表示装置。
【請求項７】
前記送信手段は、前記ユーザが検出された場合に、前記外部機器に対して当該外部機器の駆動電力の制限を指示するコマンドを送信する、請求項１記載の表示装置。
【請求項８】
制御コマンドと再生した映像データとをネットワークを介して送信する外部機器に対して前記ネットワークを介して接続可能な表示装置における表示方法であって、
自機器の周囲のユーザを検出することと、
前記外部機器から前記映像データと前記制御コマンドとが受信することと、
前記映像データ又は前記制御コマンドが受信された場合に、前記ユーザが検出されないと、前記外部機器に対して前記映像データの再生の停止を指示する停止コマンドを送信することと、
前記停止コマンドが送信された後に前記ユーザが検出された場合、前記外部機器に前記映像データの再生を指示する再生コマンドを送信することと、
受信された前記映像データの映像を表示装置に表示することと
を備える表示方法。
【請求項９】
前記制御コマンドは、前記表示装置に入力切替を指示する入力切替指示コマンドと、前記表示装置に電源投入を指示する電源投入指示コマンドとのうち少なくとも一方である、請求項８記載の表示方法。
【請求項１０】
ユーザとユーザ識別子とを対応付けて管理することと、
前記外部機器が送信した前記ユーザ識別子を受信することと、
受信された前記識別子に対応する、自機器の周囲の前記ユーザを検出することとを更に備える、請求項８記載の表示方法。
【発明の詳細な説明】
【技術分野】
【０００１】
本発明の実施形態は表示装置及び表示方法に関する。
【背景技術】
【０００２】
映像データを出力可能な映像出力装置と表示装置とをネットワークにより接続して、当該映像出力装置が出力した映像データの映像を表示装置に表示させる技術がある。
【先行技術文献】
【特許文献】
【０００３】
【特許文献１】特開２００７−１５０８５３号公報
【発明の概要】
【発明が解決しようとする課題】
【０００４】
ここで、例えば映像出力装置と表示装置とが離れている場合に、ユーザが映像出力装置を操作して映像を表示装置に出力させると、表示装置を視聴可能な位置までのユーザの移動に時間を要し、ユーザが映像の開始部分を視聴できない恐れがある。このため、ユーザにとって好適な時間に映像の再生を開始できることが好ましい。
【０００５】
そこで本発明の実施形態は、ユーザにとって好適な時間に映像の再生を開始させることが可能となる表示装置及び表示方法の提供を目的とする。
【課題を解決するための手段】
【０００６】
本実施形態の表示装置は、制御コマンドと再生した映像データとをネットワークを介して送信する外部機器に対してネットワークを介して接続可能な表示装置であって、検出手段と、受信手段と、第１の送信手段と、第２の送信手段と、表示手段とを備える。検出手段は、自機器の周囲のユーザを検出する。受信手段は、外部機器から映像データと制御コマンドとを受信する。第１の送信手段は、外部機器から映像データ又は制御コマンドが受信された場合に、検出手段が前記ユーザを検出しないと、外部機器に対して映像データの再生停止を指示する停止コマンドを送信する。第２の送信手段は、検出手段がユーザを検出した場合、外部機器に映像データの再生を指示する再生コマンドを送信する。表示手段は、外部機器から受信された映像データの映像を表示する。
【図面の簡単な説明】
【０００７】
【図１】実施形態の映像送信装置及び表示装置の利用形態例を示す図。
【図２】実施形態の映像送信装置及び表示装置のシステム構成例を示す図。
【図３】実施形態の映像送信装置及び表示装置が備えるコンテンツ処理部の機能ブロック例を示す図。
【図４】実施形態の映像送信装置及び表示装置によるコンテンツデータの送受信に係る処理シーケンス例を示す図。
【図５】実施形態の映像送信装置によるコンテンツデータ送信に係る処理フロー例を示す図。
【図６】実施形態の表示装置によるコンテンツデータ受信に係る処理フロー例を示す図。
【発明を実施するための形態】
【０００８】
以下、図面を参照して実施形態を説明する。
図１は、本実施形態に係る表示装置の利用形態例を示す図である。ここで、本実施形態に係る表示装置は、例えば映像送信装置１００及び映像受信装置２００として実現されている。
【０００９】
ここで映像送信装置１００と表示装置２００とは、ネットワーク３００により接続されている。なおネットワーク３００は、例えば有線／無線ＬＡＮネットワーク、及びＨＤＭＩ規格に準拠した無線／有線ネットワーク等である。
【００１０】
映像送信装置１００は、当該映像送信装置１００が記憶するコンテンツ、及び当該映像送信装置１００が光学ディスク等から読み込んだコンテンツのデータを再生（デコード）する機能を有する。ここで映像送信装置１００は、当該再生したコンテンツの映像データや音声データをネットワーク３００経由で表示装置２００に送信（出力）できる。また映像送信装置１００は、表示装置２００に各種の処理を実行させるための、例えばＨＤＭＩ−ＣＥＣに準拠した制御コマンド及び独自プロトコルの制御コマンドを、ネットワーク３００を介して送信（出力）する機能を有する。なお映像送信装置１００は、例えばテレビ、コンピュータ及びプレイヤ等の、映像データを送信可能な装置である。
【００１１】
表示装置２００は、例えばテレビやコンピュータ等の装置であり、映像送信装置１００から送信（出力）されたコンテンツの映像データや音声データを受信（入力）して、当該受信したコンテンツの映像を表示部２０５に表示する機能を有する。また表示装置２００は、撮像部２０６及びユーザ検出部２０７（図１では不図示）を備え、撮像部２０６が撮像した映像を解析することにより、表示装置２００の周囲や前方にユーザが存在するか否かを検出できる。そしてこのとき表示装置２００は、ユーザ検出部２０７がユーザを検出したか否かに応じて、映像送信装置１００に対して映像コンテンツの再生停止を指示するコマンド及び、コンテンツの再生を指示するコマンドを送信（出力）できる。
【００１２】
次に図２を参照して、映像送信装置１００及び表示装置２００のシステム構成例を説明する。
映像送信装置１００は、受信部１０１、ＯＤＤ１０２、記憶部１０３、コンテンツ処理部１０４、表示処理部１０５、表示部１０６、操作受付部１０７、撮像部１０８、ユーザ検出部１０９、ユーザデータベース１１０、通信部１１１、電力制御部１１２等を備える。
【００１３】
受信部１０１は、テレビ放送のコンテンツデータを受信するチューナとして機能する。また受信部１０１は、例えばインターネット上に公開されているコンテンツデータを受信する通信モジュールとして機能しても良い。
【００１４】
ＯＤＤ１０２は、光学ディスク等の記憶メディアに格納されたコンテンツデータを読み込む機能を有する。記憶部１０３は、コンテンツデータを記憶する例えばＨＤＤやメモリ等の記憶媒体であり、例えば受信部１０１が受信したコンテンツデータやＯＤＤ１０２が読み込んだコンテンツデータを記憶する。そして受信部１０１、ＯＤＤ１０２、記憶部１０３の夫々は、コンテンツ処理部１０４からの指示に応じてコンテンツデータを当該コンテンツ処理部１０４に出力する。
【００１５】
コンテンツ処理部１０４は、コンテンツのデコード（再生）処理、及びデコードされたコンテンツの映像データを外部機器又は表示処理部１０５に送信する処理を行う。なおコンテンツ処理部１０４の詳細は図３を参照して後述する。
【００１６】
表示処理部１０５は、デコード部１２０から入力された映像データをディスプレイ表示用の映像信号に変換する機能を有する。そして表示処理部１０５は、変換・生成した映像信号を表示部１０６に出力し、表示部１０６は、入力された映像信号に応じた映像を表示する。
【００１７】
操作受付部１０７は、ユーザからの操作入力を受け付ける。ここで操作受付部１０７は、例えば受信部１０１が受信するコンテンツデータ、ＯＤＤ１０２が読み込むコンテンツデータ、記憶部１０３が記憶するコンテンツデータのうち、再生するデータを選択する操作入力、再生したコンテンツデータの映像を映像送信装置１００と表示装置２００との何れの機器に表示させるかを指示する操作入力等を受け付ける。そして操作受付部１０７は、受け付けた操作入力に基づいた指示をコンテンツ処理部１０４に出力する。
【００１８】
撮像部１０８は、映像送信装置１００の周囲を撮像するカメラ等であり、撮像した映像データをユーザ検出部１０９に出力する。なお撮像部１０８は、カメラのように撮像する機能を持たずともよく、例えば映像送信装置１００の周囲の動体を検出するセンサ等であっても良い。そしてこの場合撮像部１０８は、映像送信装置１００の周囲に動体があるか否かをユーザ検出部１０９に通知する。また撮像部１０８は、映像送信装置１００の周囲全方向を撮像できる必要はないが、テレビジョン装置１００の前面、即ち表示部１０６側を撮像し、映像送信装置１００を視聴するユーザを撮像できることが好ましい。
【００１９】
また撮像部１０８は、必ずしも常に撮像する必要は無く、例えば操作受付部１０７が何らかの操作入力を受けた場合に撮像を開始してもよい。
ユーザ検出部１０９は、撮像部１０８から入力された映像データを解析し、当該映像中から人物の画像を検出することにより、映像送信装置１００の周囲に存在するユーザを検出する。さらにユーザ検出部１０９は、映像中の顔画像を解析して、映像送信装置１００の周囲のユーザが誰であるかを判別することもできる。なおここでユーザ検出部１０９は、ユーザデータベース１１０に格納されている顔照合用データを用いて、映像中の顔画像が何れのユーザに対応する顔画像であるかを判別する。
【００２０】
そしてユーザ検出部１０９は、映像送信装置１００の周囲のユーザを検出したか否かを示す通知をコンテンツ処理部１０４に出力する。またユーザ検出部１０９は、検出したユーザがユーザデータベース１１０に登録されているユーザである場合、当該検出したユーザを示す識別子をコンテンツ処理部１０４に出力する。
【００２１】
ユーザデータベース１１０には、ユーザの照合用データと、当該ユーザを示す識別子とが対応付けて格納されている。ここで照合用データとは、例えばユーザの顔画像や、ユーザの顔画像の特徴点データ等である。また当該照合用データは、例えば映像送信装置１００が、当該映像送信装置１００を使用するユーザの顔画像を取り込むこと等により生成される。
【００２２】
通信部１１１は、コンテンツ処理部１０４から入力されるコンテンツの映像データや音声データをネットワーク３００を介して表示装置２００に送信する機能を有する。また通信部１１１は、表示装置２００からネットワーク３００を介して送信された各種制御コマンドを受信し、当該受信したコマンドをコンテンツ処理部１０４に出力する機能も有する。
【００２３】
電力制御部１１２は、映像送信装置１００の各構成に対する駆動電力の供給を制御する。ここで電力制御部１１２は、例えばネットワーク３００を介して通信部１１１に省電力モード移行指示コマンドが入力された場合であって、ユーザ検出部１０９がユーザを検出しない場合、映像送信装置１００を省電力モードに移行させる。省電力モードにおいて電力制御部１１２は、例えば映像送信装置１００においてコンテンツの再生及び外部機器への送信に係る処理を実行するモジュール以外のモジュールへの電力供給を制限する。
【００２４】
次に表示装置２００を説明する。
表示装置２００は、受信部２０１、通信部２０２、コンテンツ処理部２０３、表示処理部２０４、表示部２０５、ＧＵＩ生成部２０５、撮像部２０６、ユーザ検出部２０７、ユーザデータベース２０８、電力制御部２０９等を備えている。
【００２５】
受信部２０１は、テレビ放送のコンテンツデータを受信するチューナとして機能する。そして受信部２０１は、受信したコンテンツデータをコンテンツ処理部２０３に出力する。
【００２６】
通信部２０２は、ネットワーク３００を介して映像送信装置１００から送信されるコンテンツの映像データ及び音声データと、各種制御コマンドとを受信（入力）する機能を有する。そして通信部２０２は、受信した映像データ及び音声データと制御コマンドとをコンテンツ処理部２０３に出力する。また通信部２０２は、コンテンツ処理部２０３から入力された各種制御コマンドを、ネットワーク３００を介して映像送信装置１００に送信（出力）する機能も有する。
【００２７】
そしてコンテンツ処理部２０３は、デコード部２２０がデコードした映像データを表示処理部２０４に出力する。またコンテンツ処理部２０３は、通信部２０２から入力された映像データが、例えばＨＤＭＩに準拠した形式のデコード済みの映像データである場合、当該映像データをデコードすることなく表示処理部２０４に出力する。なおコンテンツ処理部２０３の詳細は図３を参照して後述する。
【００２８】
表示処理部２０４は、コンテンツ処理部２０３から入力された映像データをディスプレイ表示用の映像信号に変換する機能を有する。そして表示処理部２０４は、変換・生成した映像信号を表示部２０５に出力し、表示部２０５は、入力された映像信号に応じた映像を表示する。
【００２９】
撮像部２０６は、映像送信装置１００の撮像部１０８と同様に、表示装置２００の周囲を撮像して、撮像した映像データをユーザ検出部２０７に出力する機能を有する。なお撮像部２０６は、表示装置２００の周囲の動体を検出するセンサ等であっても良く、表示装置２００の周囲に動体があるか否かを示す通知をユーザ検出部２０７に出力してもよい。なおこのときのセンサは、例えばユーザが視聴領域にいるか否かを検出できることが好ましい。また撮像部２０６は、表示装置２００の周囲全方向を撮像できる必要はないが、テレビジョン装置２００の前面、即ち表示部２０５側を撮像し、表示装置２００を視聴するユーザを撮像できることが好ましい。
【００３０】
また撮像部２０６は、必ずしも常に撮像する必要は無く、例えば通信部２０２に映像送信装置１００から制御コマンドや映像データが入力された場合に撮像を開始してもよい。
【００３１】
ユーザ検出部２０７は、撮像部１０８から入力された映像データを解析し、当該映像中から人物の画像を検出することにより、映像送信装置１００の周囲にユーザが存在するか否かや、ユーザが視聴可能領域に存在するか否かを判別する。なお視聴可能領域とは、ユーザが表示装置２００が表示する映像を視聴できる領域であり、例えば表示装置２００の表示部２０５の前方の一定の角度の範囲内であって、当該表示部２０５から一定の距離以内である領域等を指す。
【００３２】
さらにユーザ検出部２０７は、映像中の顔画像を解析して、表示装置２００の視聴可能領域にいるユーザが誰であるかを判別することもできる。なおここでユーザ検出部２０７は、ユーザデータベース２０８に格納されている顔照合用データを用いて、映像中の顔画像が何れのユーザに対応する顔画像であるかを判別する。
【００３３】
ここでユーザ検出部２０７は、受信制御部２３０から入力されるユーザの識別子と、検出したユーザの顔画像に対応する識別子とを比較して、現在検出しているユーザが、映像送信装置１００から送信された識別子に対応するユーザであるか否かを判別する。そしてユーザ検出部２０７は、検出したユーザが識別子に対応するユーザであるか否かを受信制御部２３０に出力する。
【００３４】
ユーザ検出部２０７は、ユーザを検出しない場合、電力制御部２０９に、表示部２０５への駆動電力の供給の制限を指示する。一方、ユーザ検出部２０７は、ユーザを検出した場合、またはユーザを検出した場合であって当該ユーザが映像送信装置１００から受信した識別子に対応するユーザである場合、表示部２０５への駆動電力の制限解除を電力制御部２０９に指示する。
【００３５】
ユーザデータベース２０８には、ユーザの照合用データと、当該ユーザを示す識別子とが対応付けて格納されている。なお当該識別子は、映像送信装置１００のユーザデータベース１０９に格納されている識別子と対応するものである。また照合用データは、例えば表示装置２００が、当該表示装置２００を使用するユーザの顔画像を取り込むこと等により生成される。
【００３６】
電力制御部２０９は、表示装置２００の各構成に対する駆動電力の供給を制御する。ここで電力制御部２０９は、例えば映像送信装置１００から通信部２０２に電源投入指示コマンドが入力されると、表示装置２００の各構成に対する電力供給を開始して表示装置２００を起動させる。また電力制御部２０９は、例えばユーザ検出部２０７がユーザを検出しない場合、表示部２０５への電力供給を制限し、ユーザを検出した場合に当該制限を解除する。
【００３７】
次に図３を参照して、映像送信装置１００のコンテンツ処理部１０４及び表示装置２００のコンテンツ処理部２０３を説明する。
図３（Ａ）は、映像送信装置１００のコンテンツ処理部１０４の機能ブロック例を示す図である。
コンテンツ処理部１０４は、デコード部１２０及び送信制御部１３０等を備える。
デコード部１２０は、受信部１０１、ＯＤＤ１０２及び記憶部１０３等から入力されたコンテンツデータをデコードして映像データと音声データを生成する。そしてデコード部１２０は、デコードした映像データを、表示処理部１０５と送信制御部１３０とのうち設定されたモジュールに出力する。ここでデコード部１２０は、例えば操作受付部１０７が受け付けた操作入力により、映像データの出力先のモジュールを設定する。
【００３８】
送信制御部１３０は、送信処理部１３１及びコマンド処理部１３２を含む。
送信処理部１３１は、デコード部１２０がデコード（再生）した映像データや音声データを、ネットワーク３００を介して接続された機器に送信（出力）する機能を有する。
【００３９】
コマンド処理部１３２は、例えば操作受付部１０７がコンテンツの映像データ及び音声データを外部機器に送信する指示を受けた場合、当該機器に対して電源の投入を指示する電源投入コマンドや、当該機器に対して入力切替を指示する入力切替コマンドを送信する。なお入力切替コマンドとは、当該コマンドを受けた機器に対して、当該機器が表示する映像を、当該コマンドが入力された入力ポートに入力された映像に切り替えさせるコマンドである。
【００４０】
またコマンド処理部１３２は、ネットワーク３００を介して接続された機器から入力される各種の制御コマンドに応じてコンテンツの再生と再生停止とを制御する機能を有する。ここでコマンド処理部１３２は、表示装置２００から再生停止コマンドが入力された場合、ＯＤＤ１０２や記憶部１０３に対してコンテンツデータの読込を停止する指示を出力し、デコード部１２０にデコードを停止する指示を出力することにより、コンテンツの再生を停止させる。そして送信制御部１３０は、コンテンツデータの表示装置２００への送信を停止する。
【００４１】
ここでコマンド処理部１３２は、表示装置２００からの再生コマンドが入力されると、ＯＤＤ１０２や記憶部１０３に対して、コンテンツの読込を停止した位置から再度読込を開始する指示を出力し、デコード部１２０にデコードを開始する指示を出力することにより、コンテンツの再生を開始する。
【００４２】
またコマンド処理部１３２は、表示装置２００から省電力モード移行コマンドを受信すると、電力制御部１１２に省電力モードへの移行を指示する。
さらにコマンド処理部１３２は、ユーザ検出部１０９から入力されたユーザの識別子を表示装置２００に送信する機能も有する。
図３（Ｂ）は、表示装置２００のコンテンツ処理部２０３の機能ブロック例を示す図である。
コンテンツ処理部２０３は、デコード部２２０及び受信制御部２３０等を備える。
デコード部２２０は、受信部２０１からコンテンツ処理部２０３に入力されたコンテンツデータを復号して映像データと音声データとを生成し、当該復号したコンテンツの映像データを表示処理部２０４に、音声データを音声処理部（不図示）に出力する。なおデコード部２２０は、コンテンツ処理部２０３に入力された映像データが、例えばＨＤＭＩ規格に準拠した形式等のようにデコード済みの映像データであった場合、デコード処理を行わなくてよい。
【００４３】
受信制御部２３０は、受信処理部２３１及びコマンド処理部２３２を備える。
受信処理部２３１は、通信部２０２から入力された映像データを表示処理部２０４に出力する。
コマンド処理部２３２は、映像送信装置１００から受信したコマンドに応じた処理を実行する。ここでコマンド処理部２３２は、映像送信装置１００から電源投入コマンドが入力されると、電力制御部２０９に対して、表示装置２００の各構成に対する駆動電力の供給を指示する。またコマンド処理部２３２は、映像送信装置１００から入力切替コマンドが入力されると、表示装置２００が表示する映像を、当該入力切替コマンドが入力された入力端子に入力された映像に切り替える。つまりコマンド処理部２３２は、通信部２０２から入力切替コマンドを受信すると、当該通信部２０２から入力された映像を表示するように表示装置２００を制御する。
【００４４】
またコマンド処理部２３２は、映像送信装置１００への各種制御コマンドの送信処理を実行する。コマンド処理部２３２は、ユーザ検出部２０７からユーザを検出していない旨の通知を受けると、映像送信装置１００にコンテンツの再生停止を指示する再生停止コマンドを生成し、当該再生停止コマンドを通信部２０２を介して映像送信装置１００に送信する。一方コマンド処理部２３２は、ユーザ検出部２０７からユーザを検出している旨の通知を受けると、映像送信装置１００にコンテンツの再生を指示する再生コマンドを生成して当該再生コマンドを通信部２０２から映像送信装置１００に送信する。
【００４５】
またコマンド処理部２３２は、ユーザ検出部２０７からユーザを検出している旨の通知を受けている場合であっても、当該検出しているユーザが、映像送信装置１００から送信された識別子に対応するユーザではない場合、再生コマンドを映像送信装置１００に送信しなくても良い。そしてコマンド処理部２３２は、検出しているユーザが識別子に対応するユーザであった場合に再生コマンドを映像送信装置１００に送信する。
【００４６】
次に図４を参照して、本実施形態の映像送信装置１００及び表示装置２００によるコンテンツの送受信に係る処理フロー例を説明する。
まず映像送信装置１００は、コンテンツの映像データ及び音声データを表示装置２００に送信する操作入力を受け付けると（Ｓ４０１）、表示装置２００に対して入力切替コマンドを送信する（Ｓ４０２）。ここで表示装置２００は、入力切替コマンドを受信した場合に当該表示装置２００の視聴可能領域のユーザを検出できないと（Ｓ４０３）、再生停止コマンドを映像送信装置１００に送信する（Ｓ４０４）。
【００４７】
映像送信装置１００は、再生停止コマンドを受けるとコンテンツの再生及び送信を停止する（Ｓ４０５）。ここで表示装置２００は、再生停止コマンド送信の後、当該表示装置２００の周囲の視聴可能領域にユーザを検出すると（Ｓ４０６）、映像送信装置１００にコンテンツの再生を指示する再生コマンドを送信する（Ｓ４０７）。
【００４８】
そして再生コマンドを受信すると映像送信装置１００は、コンテンツデータの再生及び送信を開始する（Ｓ４０８）。表示装置２００は、コンテンツデータを受信すると、当該コンテンツデータの映像を表示する（Ｓ４０９）。
【００４９】
そして表示装置２００は、映像の表示を開始したのち、省電力移行コマンドを映像送信装置１００に送信し（Ｓ４１０）、映像送信装置１００は、当該コマンドを受信すると省電力モードに移行する（Ｓ４１１）。
【００５０】
また表示装置２００は、映像表示を開始した後に、当該表示装置２００の周囲の視聴可能領域にユーザが検出できなくなると（Ｓ４１２）、再生停止コマンドを送信して（Ｓ４１３）、映像送信装置１００のコンテンツ再生及び送信を停止させる（Ｓ４１４）。そして表示装置２００は、再度ユーザを検出すると（Ｓ４１５）、再生コマンドを送信する（Ｓ４１６）。映像送信装置１００は、再生コマンドを受信するとコンテンツを再生及び送信し（Ｓ４１７）、表示装置２００は、映像送信装置１００から送信されたコンテンツの映像を表示する（Ｓ４１８）。
【００５１】
次に図５を参照して、映像送信装置１００によるコンテンツ送信に係る処理フロー例を説明する。
まず映像送信装置１００は、コンテンツデータを表示装置２００に送信する操作受信を受け付ける（Ｓ５０１）。ここで映像送信装置１００は、当該映像送信装置１００を操作しているユーザを撮像して、当該撮像したユーザの画像を解析することにより、当該ユーザが何れの人物であるかを判別する（Ｓ５０２）。そして映像送信装置１００は、画像中の人物に対応付けられている識別子を表示装置２００に送信する（Ｓ５０３）。
【００５２】
続いて映像送信装置１００は、映像送信装置１００に対して切替指示コマンドを送信する（Ｓ５０４）。なおＳ５０４において映像送信装置１００は、電源投入コマンドと切替指示コマンドとの両方を送信しても良いし、あるいは電源投入コマンドだけを送信しても良い。そして映像送信装置１００は切替指示コマンドを送信した後、表示装置２００へのコンテンツデータの送信を開始するが、表示装置２００からの再生停止コマンドを受信すると（Ｓ５０５）、コンテンツデータの再生及び送信を停止する（Ｓ５０６）。次に映像送信装置１００は、表示装置２００からの再生コマンドを受信したか否かを判別する（Ｓ５０７）。そして映像送信装置１００は、再生コマンドを受信すると（Ｓ５０７のＹｅｓ）、コンテンツの再生及び送信を開始する（Ｓ５０８）。
【００５３】
そして映像送信装置１００は、表示装置２００からの省電力モード移行指示を受信すると（Ｓ５０９）、続いて当該映像送信装置１００の周囲にユーザが存在するか否かを判別する（Ｓ５１０）。ここでユーザが検出されない場合（Ｓ５１０のＮｏ）、映像送信装置１００は当該映像送信装置１００を省電力モードに移行させ（Ｓ５１１）、映像送信装置１００によるコンテンツ送信に係る処理は完了する。
【００５４】
なお映像送信装置１００は、Ｓ５０８においてコンテンツの再生及び送信を開始した後であっても、表示装置２００から再生停止コマンドを受信した場合はコンテンツの再生を一時停止し、再生コマンドを受信するとコンテンツの再生を再開する。
【００５５】
次に図６を参照して、表示装置２００によるコンテンツ受信に係る処理フロー例を説明する。
まず表示装置２００は、映像送信装置１００から送信されたユーザの識別子を受信し（Ｓ６０１）、続いて受信切替指示コマンドを受信する（Ｓ６０２）。そして表示装置２００は、映像を受信する端子を通信部２０２に切り替え（Ｓ６０３）、続いて表示装置２００の付近にユーザが存在するか否かを検出する（Ｓ６０４）。ここでユーザを検出できない場合（Ｓ６０４のＮｏ）、表示装置２００は、映像送信装置１００に対してコンテンツ再生停止指示を送信する（Ｓ６０５）。続いて表示装置２００は、表示部２０５の電源がＯＮになっているかを判別する（Ｓ６０６）。ここで電源がＯＮの場合（Ｓ６０６のＹｅｓ）、表示装置２００は表示部２０５の駆動電力を制限して（Ｓ６０７）、再びＳ６０４の処理を実行する。なおＳ６０７において表示装置２００は、必ずしも表示部２０５の電力供給を制限する必要は無く、例えば表示部２０５の輝度を下げる、又は表示部２０５に再生停止中である旨を示すＧＵＩを表示させても良い。
【００５６】
一方Ｓ６０４においてユーザを検出した場合（Ｓ６０４のＹｅｓ）、続いて表示装置２００は、検出したユーザの顔画像を解析して、当該検出したユーザの顔画像が、受信した識別子に対応するユーザの顔画像であるか否かを判別する（Ｓ６０８）。ここで、検出したユーザが識別子に対応していない場合（Ｓ６０８のＮｏ）、表示装置２００はＳ６０５の処理を行う。一方対応している場合（Ｓ６０８のＹｅｓ）、表示装置２００は、表示部２０５への電力供給を開始して表示部２０５の電源をＯＮにし、当該表示部２０５を映像表示可能な状態にする（Ｓ６０９）。次に表示装置２００は、映像送信装置１００に対してコンテンツ再生指示を送信する（Ｓ６１０）。
【００５７】
続いて表示装置２００は、映像送信装置１００から送信されたコンテンツを受信すると（Ｓ６１１）、当該コンテンツの映像を表示する（Ｓ６１２）。そして映像の表示を開始した後表示装置２００は、映像送信装置１００に省電力モード移行コマンドを送信する（Ｓ６１３）。次に表示装置２００は、映像送信装置１００から受信するコンテンツが終了したか否かを判別する（Ｓ６１４）。ここでコンテンツが終了していない場合（Ｓ６１４のＮｏ）、表示装置２００はＳ６０４の処理を実行し、コンテンツが終了している場合（Ｓ６１４のＹｅｓ）、テレビ装置のコンテンツ受信に係る処理フローは完了する。
【００５８】
なお図６のフロー例において、表示装置２００は入力切替コマンド又は電源投入コマンドを受信した場合に、Ｓ６０４の処理を実行するとして説明したが、表示装置２００は、例えば映像送信装置１００からのコンテンツデータの受信を開始した場合にＳ６０４の処理を実行しても良い。即ち、例えば映像送信装置１００が、コンテンツの送信開始時に切替コマンドや電源投入コマンドを送信しない場合であっても、表示装置２００は当該コンテンツを受信した場合にＳ６０４の処理を実行できる。
【００５９】
また表示装置２００は、Ｓ６０７において例えば受信部２０１が受信したテレビ放送の映像を表示している場合、当該テレビ放送の映像の表示を継続してもよい。そしてこの場合表示装置２００は、例えばＳ６０８にて識別子に対応するユーザを検出した場合等に、当該表示装置２００が表示する映像の入力を通信部２０２に切り替える。
【００６０】
また図６のフロー例では、表示装置２００は、入力切替コマンドや電源投入コマンド等の制御コマンドを受信した際にユーザを検出できない場合、停止コマンドを送信するとして説明しているが、表示装置２００は、映像データを受信していない場合に制御コマンドを受信すると、ユーザを検出しているか否かにかかわらず停止コマンドを送信するようにしてもよい。また、表示装置２００は識別子を受信しなくても良く、この場合に表示装置２００はＳ６０８の処理を省略する。
【００６１】
また本実施形態においては、映像送信装置１００はコンテンツデータを再生（デコード）して、当該再生したデータを表示装置２００に送信しているが、映像送信装置１００は、デコードしていない符号化データを送信してもよい。そしてこの場合表示装置２００は、受信した符号化データをデコードした後表示する。
【００６２】
上記の実施形態によれば、表示装置２００は、ユーザにとって好適な時間に映像の再生を開始させることができる。
なお、本発明の実施形態は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００６３】
１００…映像送信装置、１０１…受信部、１０２…ＯＤＤ、１０３…記憶部、１０４…コンテンツ処理部、１０５…表示処理部、１０６…表示部、１０７…操作受付部、１０８…撮像部、１０９…ユーザ検出部、１１０…ユーザデータベース、１１１…通信部、１１２…電力制御部、１２０…デコード部、１３０…送信制御部、１３１…送信処理部、１３２…コマンド処理部、２００…表示装置、２０１…受信部、２０２…通信部、２０３…コンテンツ処理部、２０４…表示処理部、２０５…表示部、２０６…撮像部、２０７…ユーザ検出部、２０８…ユーザデータベース、２０９…電力制御部、２２０…デコード部、２３０…受信制御部、２３１…受信処理部、２３２…コマンド処理部
【図１】
2012065203.tif 000003
【図２】
2012065203.tif 000004
【図３】
2012065203.tif 000005
【図４】
2012065203.tif 000006
【図５】
2012065203.tif 000007
【図６】
2012065203.tif 000008